【手続補正書】
【提出日】平成27年8月12日(2015.8.12)
【手続補正１】
【補正対象書類名】特許請求の範囲
【補正対象項目名】全文
【補正方法】変更
【補正の内容】
【特許請求の範囲】
【請求項１】
ソーシャル・ネットワークのユーザに関連付けられている移動体デバイスが、検索クエリに応じて検索結果のセットを識別する工程と、
前記移動体デバイスが、階層構造に体系化した前記検索結果のセットを表示する工程と、
前記移動体デバイスが、前記検索結果のセットのうちの１つまたは複数の検索結果が１つまたは複数の情報アイテムに関連付けられていると判定する工程であって、前記１つまたは複数の情報アイテムのうちの少なくとも１つは前記ソーシャル・ネットワークに関連付けられている、工程と
前記移動体デバイスが、前記１つまたは複数の検索結果に関連付けられている前記１つまたは複数の情報アイテムをプリフェッチする工程と、
前記移動体デバイスが、前記検索結果のセットのうちの第１の検索結果に関連する第１のユーザ対話を受信する工程と、
前記移動体デバイスが、前記第１のユーザ対話に応じて、
前記第１の検索結果がプリフェッチした前記情報アイテムのうちの１つまたは複数に関連付けられており、
前記検索結果のセットからの１つまたは複数の第２の検索結果が展開されている、と判定する工程と、
前記移動体デバイスが、前記第１の検索結果を展開するとともに自動的に前記第２の検索結果を畳み込む工程と、を備え、前記第１の検索結果を展開することは、前記第１の検索結果に関連付けられているプリフェッチした前記１つまたは複数の情報アイテムを表示することを含み、自動的に前記第２の検索結果を畳み込むことは、前記１つまたは複数の第２の検索結果に関連付けられている情報アイテムを表示から除くことを含む、
方法。
【請求項２】
前記移動体デバイスが、プリフェッチした前記１つまたは複数の情報アイテムのうちの第１の情報アイテムに関連する第２のユーザ対話を受信する工程と、
前記移動体デバイスが、前記第２のユーザ対話に応じて、プリフェッチした前記１つまたは複数の情報アイテムのうちの前記第１の情報アイテムが１つまたは複数の第２の情報アイテムに関連付けられていると判定する工程と、
前記移動体デバイスが、プリフェッチした前記１つまたは複数の情報アイテムのうちの
前記第１の情報アイテムを展開する工程であって、プリフェッチした前記１つまたは複数の情報アイテムのうちの前記第１の情報アイテムに関連付けられている前記１つまたは複数の第２の情報アイテムを表示することを含む工程と、をさらに備える、請求項１に記載の方法。
【請求項３】
前記移動体デバイスが、第２のユーザ対話を受信する工程と、
前記移動体デバイスが、前記第２のユーザ対話に応じて、プリフェッチした前記１つまたは複数の情報アイテムのうちの第１の情報アイテムがコールトゥアクションに関連付けられており、かつ前記第２のユーザ対話が該コールトゥアクションとの対話を含むと判定する工程と、
前記移動体デバイスが、前記コールトゥアクションに関連付けられているアクションを実行する工程とをさらに備える、請求項１に記載の方法。
【請求項４】
前記移動体デバイスが、第２のユーザ対話を受信する工程と、
前記移動体デバイスが、前記第２のユーザ対話に応じて、前記第１の検索結果が第２の情報アイテムにリンクされていると判定する工程と、
前記移動体デバイスが、前記第２の情報アイテムを表示し、前記検索結果のセットを置き換える工程とをさらに備える、請求項１に記載の方法。
【請求項５】
前記第２の情報アイテムはウェブページである、請求項４に記載の方法。
【請求項６】
前記移動体デバイスが、第２のユーザ対話を受信する工程と、
前記移動体デバイスが、前記第２のユーザ対話に応じて、前記第１の検索結果が第２の情報アイテムにリンクされていると判定する工程と、
前記移動体デバイスが、前記第１の検索結果を展開する工程とをさらに備え、前記第１の検索結果を展開する工程は、前記第１の検索結果の下方に前記第２の情報アイテムを表示する工程を含む、請求項１に記載の方法。
【請求項７】
前記移動体デバイスが、前記第１の検索結果に関連する第２のユーザ対話を受信する工程と、
前記移動体デバイスが、前記第２のユーザ対話に応じて、前記第１の検索結果に関連付けられているプリフェッチした情報アイテムが表示されないように、前記第１の検索結果を畳み込む工程と
をさらに備える、請求項１に記載の方法。
【請求項８】
前記移動体デバイスが、前記検索結果のセットのうちの第３の検索結果に関連する第２のユーザ対話を受信する工程と、
前記移動体デバイスが、前記第２のユーザ対話に応じて、前記第３の検索結果が１つまたは複数の第２の情報アイテムに関連付けられると判定する工程と、
前記移動体デバイスが、前記第１の検索結果に関連付けられているプリフェッチした情報アイテムが表示されないように、前記第１の検索結果を畳み込む工程と、
前記移動体デバイスが、前記第３の検索結果を展開する工程と、をさらに備え、前記第３の検索結果を展開する工程は、前記第３の検索結果に関連付けられている前記１つまたは複数の第２の情報アイテムを表示する工程を含む、請求項１に記載の方法。
【請求項９】
１つまたは複数のプロセッサによって実行可能な命令を含むメモリと、
前記メモリに結合され、前記命令を実行するように動作可能である前記１つまたは複数のプロセッサと、を備えるシステムであって、前記１つまたは複数のプロセッサは前記命令の実行時に、
検索クエリに応じて検索結果のセットを識別する工程と、
階層構造に体系化した前記検索結果のセットを表示する工程と、
前記検索結果のセットのうちの１つまたは複数の検索結果が１つまたは複数の情報アイテムに関連付けられていると判定する工程であって、前記１つまたは複数の情報アイテムのうちの少なくとも１つはソーシャル・ネットワークに関連付けられている、工程と
前記１つまたは複数の検索結果に関連付けられている前記１つまたは複数の情報アイテムをプリフェッチする工程と、
前記検索結果のセットのうちの第１の検索結果に関連する第１のユーザ対話を受信する工程と、
前記第１のユーザ対話に応じて、
前記第１の検索結果がプリフェッチした前記情報アイテムのうちの１つまたは複数に関連付けられており、
前記検索結果のセットからの１つまたは複数の第２の検索結果が展開されている、と判定する工程と、
前記第１の検索結果を展開するとともに自動的に前記第２の検索結果を畳み込む工程とを実行するように動作可能であり、
前記第１の検索結果を展開するための命令は、前記第１の検索結果に関連付けられているプリフェッチした前記１つまたは複数の情報アイテムを表示するための命令を含み、自動的に前記第２の検索結果を畳み込むための命令は、前記１つまたは複数の第２の検索結果に関連付けられている情報アイテムを表示から除くための命令を含む、システム。
【請求項１０】
前記１つまたは複数のプロセッサは前記命令の実行時に、
プリフェッチした前記１つまたは複数の情報アイテムのうちの第１の情報アイテムに関連する第２のユーザ対話を受信する工程と、
前記第２のユーザ対話に応じて、プリフェッチした前記１つまたは複数の情報アイテムのうちの前記第１の情報アイテムが１つまたは複数の第２の情報アイテムに関連付けられていると判定する工程と、
プリフェッチした前記１つまたは複数の情報アイテムのうちの前記第１の情報アイテムを展開する工程であって、プリフェッチした前記１つまたは複数の情報アイテムのうちの前記第１の情報アイテムに関連付けられている前記１つまたは複数の第２の情報アイテムを表示することを含む工程と、を実行するようにさらに動作可能である、請求項９に記載のシステム。
【請求項１１】
前記１つまたは複数のプロセッサは前記命令の実行時に、
第２のユーザ対話を受信する工程と、
前記第２のユーザ対話に応じて、プリフェッチした前記１つまたは複数の情報アイテムのうちの第１の情報アイテムがコールトゥアクションに関連付けられており、かつ前記第２のユーザ対話が該コールトゥアクションとの対話を含むと判定する工程と、
前記コールトゥアクションに関連付けられているアクションを実行する工程とを実行するようにさらに動作可能である、請求項９に記載のシステム。
【請求項１２】
前記１つまたは複数のプロセッサは前記命令の実行時に、
第２のユーザ対話を受信する工程と、
前記第２のユーザ対話に応じて、前記第１の検索結果が第２の情報アイテムにリンクされていると判定する工程と、
前記第２の情報アイテムを表示し、前記検索結果のセットを置き換える工程とを実行するようにさらに動作可能である、請求項９に記載のシステム。
【請求項１３】
前記第２の情報アイテムはウェブページである、請求項１２に記載のシステム。
【請求項１４】
前記１つまたは複数のプロセッサは前記命令の実行時に、
第２のユーザ対話を受信する工程と、
前記第２のユーザ対話に応じて、前記第１の検索結果が第２の情報アイテムにリンクされていると判定する工程と、
前記第１の検索結果を展開する工程であって、前記第１の検索結果の下方に前記第２の情報アイテムを表示することを含む工程と
を実行するようにさらに動作可能である、請求項９に記載のシステム。
【請求項１５】
前記１つまたは複数のプロセッサは前記命令の実行時に、
前記第１の検索結果に関連する第２のユーザ対話を受信する工程と、
前記第２のユーザ対話に応じて、前記第１の検索結果に関連付けられているプリフェッチした情報アイテムが表示されないように、前記第１の検索結果を畳み込む工程と、
を実行するようにさらに動作可能である、請求項９に記載のシステム。
【請求項１６】
前記１つまたは複数のプロセッサは前記命令の実行時に、
前記検索結果のセットのうちの第３の検索結果に関連する第２のユーザ対話を受信する工程と、
前記第２のユーザ対話に応じて、前記第３の検索結果が１つまたは複数の第２の情報アイテムに関連付けられると判定する工程と、
前記第１の検索結果に関連付けられているプリフェッチした情報アイテムが表示されないように、前記第１の検索結果を畳み込む工程と、
前記第３の検索結果を展開する工程であって、前記第３の検索結果に関連付けられている前記１つまたは複数の第２の情報アイテムを表示することを含む工程と、
を実行するようにさらに動作可能である、請求項９に記載のシステム。
【請求項１７】
１つまたは複数の非一時的なコンピュータ可読記憶媒体であって、１つまたは複数のコンピュータ・システムによる実行時に、
検索クエリに応じて検索結果のセットを識別する工程と、
階層構造に体系化した前記検索結果のセットを表示する工程と、
前記検索結果のセットのうちの１つまたは複数の検索結果が１つまたは複数の情報アイテムに関連付けられていると判定する工程であって、前記１つまたは複数の情報アイテムのうちの少なくとも１つはソーシャル・ネットワークに関連付けられている、工程と
前記１つまたは複数の検索結果に関連付けられている前記１つまたは複数の情報アイテムをプリフェッチする工程と、
前記検索結果のセットのうちの第１の検索結果に関連する第１のユーザ対話を受信する工程と、
前記第１のユーザ対話に応じて、
前記第１の検索結果がプリフェッチした前記情報アイテムのうちの１つまたは複数に関連付けられており、
前記検索結果のセットからの１つまたは複数の第２の検索結果が展開されている、と判定する工程と、
前記第１の検索結果を展開するとともに自動的に前記第２の検索結果を畳み込む工程と、を実行するように動作可能なソフトウェアを具体化し、
前記第１の検索結果を展開するための命令は、前記第１の検索結果に関連付けられているプリフェッチした前記１つまたは複数の情報アイテムを表示するための命令を含み、自動的に前記第２の検索結果を畳み込むための命令は、前記１つまたは複数の第２の検索結果に関連付けられている情報アイテムを表示から除くための命令を含む、媒体。
【請求項１８】
前記ソフトウェアは実行時、
プリフェッチした前記１つまたは複数の情報アイテムのうちの第１の情報アイテムに関連する第２のユーザ対話を受信する工程と、
前記第２のユーザ対話に応じて、プリフェッチした前記１つまたは複数の情報アイテムのうちの前記第１の情報アイテムが１つまたは複数の第２の情報アイテムに関連付けられていると判定する工程と、
プリフェッチした前記１つまたは複数の情報アイテムのうちの前記第１の情報アイテムを展開する工程であって、プリフェッチした前記１つまたは複数の情報アイテムのうちの前記第１の情報アイテムに関連付けられている前記１つまたは複数の第２の情報アイテムを表示することを含む工程と、を実行するようにさらに動作可能である、請求項１７に記載の媒体。
【請求項１９】
前記ソフトウェアは実行時、
第２のユーザ対話を受信する工程と、
前記第２のユーザ対話に応じて、プリフェッチした前記１つまたは複数の情報アイテムのうちの第１の情報アイテムがコールトゥアクションに関連付けられており、かつ前記第２のユーザ対話が該コールトゥアクションとの対話を含むと判定する工程と、
前記コールトゥアクションに関連付けられているアクションを実行する工程とを実行するようにさらに動作可能である、請求項１７に記載の媒体。
【請求項２０】
前記ソフトウェアは実行時、
第２のユーザ対話を受信する工程と、
前記第２のユーザ対話に応じて、前記第１の検索結果が第２の情報アイテムにリンクされていると判定する工程と、
前記第２の情報アイテムを表示し、前記検索結果のセットを置き換える工程とを実行するようにさらに動作可能である、請求項１７に記載の媒体。
【請求項２１】
前記第２の情報アイテムはウェブページである、請求項２０に記載の媒体。
【請求項２２】
前記ソフトウェアは実行時、
第２のユーザ対話を受信する工程と、
前記第２のユーザ対話に応じて、前記第１の検索結果が第２の情報アイテムにリンクされていると判定する工程と、
前記第１の検索結果を展開する工程であって、前記第１の検索結果の下方に前記第２の情報アイテムを表示することを含む工程と
を実行するようにさらに動作可能である、請求項１７に記載の媒体。
【請求項２３】
前記ソフトウェアは実行時、
前記第１の検索結果に関連する第２のユーザ対話を受信する工程と、
前記第２のユーザ対話に応じて、前記第１の検索結果に関連付けられているプリフェッチした情報アイテムが表示されないように、前記第１の検索結果を畳み込む工程と、
を実行するようにさらに動作可能である、請求項１７に記載の媒体。
【請求項２４】
前記ソフトウェアは実行時、
前記検索結果のセットのうちの第３の検索結果に関連する第２のユーザ対話を受信する工程と、
前記第２のユーザ対話に応じて、前記第３の検索結果が１つまたは複数の第２の情報アイテムに関連付けられると判定する工程と、
前記第１の検索結果に関連付けられているプリフェッチした情報アイテムが表示されないように、前記第１の検索結果を畳み込む工程と、
前記第３の検索結果を展開する工程であって、前記第３の検索結果に関連付けられている前記１つまたは複数の第２の情報アイテムを表示することを含む工程と、
を実行するようにさらに動作可能である、請求項１７に記載の媒体。